(57)【要約】【課題】  表示装置に用いられる表示パネルの走査信号線用配線ごとの抵抗の差を抑え、区切り線による表示品位の低下を抑える。【解決手段】  電圧源５とゲートドライバ６との間に、ポテンショメータ２１（抵抗選択回路）を用いた抵抗調節回路１を組み入れる。ポテンショメータ２１には、あらかじめ、外部から、ゲートスタートパルスＧＳＰとゲートドライバ用のクロックとで決まる走査信号線ごとに、調節用抵抗の値が設定されている。また、ゲートクロックをカウントすることで各走査信号線の選択タイミングをポテンショメータ２１に伝えるカウンタ２２が設けられている。ポテンショメータ２１の入力側には、電圧源５からゲートオン電圧ＧＯＥが入力され、出力側には、ゲートドライバ６の入力側の単一の配線が接続されている。ゲートドライバ６の出力側からは各走査信号線ＧＬ１、ＧＬ２、・・・、ＧＬｎが出ている。【選択図】  図１
2005165034.tif 000002
【特許請求の範囲】
【請求項１】
表示装置における表示領域の走査信号線に走査信号を供給する複数の走査信号線用配線の抵抗を調節する抵抗調節処理を行う抵抗調節回路において、
ゲートクロックにより規定されたタイミングで走査信号を各走査信号線ＧＬ（ｘ）（ｘは走査信号線用配線ごとに振られた１以上の整数）に供給するゲートドライバとゲートドライバに走査信号電圧を供給する電圧源との間に設けられた調節用抵抗Ｒr（ｘ）を有し、
ゲートドライバにおける電圧源の入力部から、表示領域の走査信号線における走査信号の入力部までで、走査信号が供給されるときの各経路における走査信号線用配線の配線抵抗をそれぞれＲpON（ｘ）とするとき、
隣り合った少なくとも２つの走査信号線用配線について、
上記タイミングに同期して上記調節用抵抗Ｒr（ｘ）の値を変化させるとき、「調節用抵抗Ｒr（ｘ）と抵抗ＲpON（ｘ）との和の、隣り合った走査信号線用配線同士での差が、調節用抵抗を設けない場合と比べて小さくなる」という条件を満たすように変化させる抵抗選択回路を備えたことを特徴とする抵抗調節回路。
【請求項２】
走査信号線ごとに調節用抵抗の値が設定された、上記抵抗選択回路としてのポテンショメータと、
ゲートクロックをカウントし、各走査信号線の選択タイミングおよび選択する走査信号線を上記ポテンショメータに伝えるカウンタとを備えたことを特徴とする請求項１に記載の抵抗調節回路。
【請求項３】
上記ポテンショメータにおける調節用抵抗の値がユーザにより任意に設定可能であることを特徴とする請求項２に記載の抵抗調節回路。
【請求項４】
上記表示領域における隣接したゲートドライバにそれぞれ配される走査信号線であって隣接し合うゲートドライバ用の各走査信号線用配線について、上記抵抗調節処理を行うことを特徴とする請求項１に記載の抵抗調節回路。
【請求項５】
上記表示領域における同一のゲートドライバに配される走査信号線であって隣接し合う走査信号線用の各走査信号線用配線について、上記抵抗調節処理を行うことを特徴とする請求項１に記載の抵抗調節回路。
【請求項６】
ゲートドライバから走査信号線に印加される走査信号に応じて表示素子を駆動してデータを表示するマトリクス表示装置において、
請求項１ないし５のいずれか１項に記載の抵抗調節回路を備えたことを特徴とするマトリクス型表示装置。
【発明の詳細な説明】
【技術分野】
【０００１】
本発明は、液晶表示装置等の表示装置に用いられる走査信号線用配線の特性を適宜調節する抵抗調節回路およびそれを用いたマトリクス型表示装置に関するものである。
【背景技術】
【０００２】
マトリクス型表示装置として、液晶表示装置を例にとり説明をする。液晶表示装置では、入力される表示信号がコントローラで表示用のデータ信号とそれを走査するための走査信号とに分けられ、表示領域にそれぞれの信号を送る。データ信号はソースドライバ（データドライバあるいはデータ信号線駆動回路）にて生成、走査信号はゲートドライバ（走査信号線駆動回路）にて生成される。表示領域においては、データ信号が送られるデータ信号線と走査信号が送られる走査信号線とが略直交するように配線され、その交点にスイッチ素子が設けられている。スイッチ素子は、そのスイッチする対象として画素電極を有し、対向する電極との間の電位差により、液晶の配向を制御する。スイッチ素子は走査信号によりオン／オフ動作の切替えを行い、オン動作のときのデータ信号が画素電極に伝わることにより画素電圧を制御する。スイッチ素子がオフのときは、画素電極は補助容量によりスイッチオンのときにデータ信号によって印加された電圧を保持する。ゲートドライバおよびソースドライバの上記表示領域は、多くの場合、ＴＡＢ（Tape Automated Bonding）を経由し行われるが、特に走査信号においてはそのハイレベルへの遷移ができるだけ早い方がスイッチング素子に十分なスイッチング期間を与えることができ、よいとされている。
【０００３】
ところで、近年、液晶表示装置の大型化に伴い、その表示領域も大きくなってきている。つまり、同じ解像度で表示領域を構成すると、当然画素ピッチは大きくなる。これに対し、ゲートドライバ自身はＩＣで構成されているため、出力端子ピッチは従来のままである。これをＴＡＢで接続しようとすると、各走査信号線をみたときにゲートドライバ出力から走査信号線間の配線長に差が生じるため、ゲートドライバの出力である走査信号から表示領域までの配線抵抗が異なってくる。
【０００４】
図５に示すように、従来の一般的な液晶表示装置１１１（表示装置）は、液晶表示素子（表示素子）が配置された表示パネル１０８を備え、ゲートドライバ１０６から走査信号線用配線１１５を経て走査信号線１０４に走査信号が印加され、ソースドライバ１０９からデータ信号線１１０にデータ信号が印加されて画像等のデータを表示するアクティブマトリクス型の液晶表示装置である。そして、電圧源１０５、ゲートドライバ１０６、表示パネル１０８がこの順に接続されている。電圧源１０５は、ゲートドライバ１０６に走査信号用の電圧を供給するものである。
【０００５】
ＴＡＢからゲートドライバ１０６への配線（走査信号線用配線）１１５は多くの場合、図５に示すように、走査信号線用配線１１５が、端では大きく曲がり、中央ではまっすぐであるため距離に差が出来る。すなわち端では長く、中央では短い。したがって配線抵抗は端で大きく、中央では小さい。また、生産性や実装時の制約などから、図６に示すような、走査信号線用配線１１５の配線長が、端から別の端に向かって走査信号線毎に徐々に長くなるタイプのものもある。
【０００６】
当然ながら走査信号線用配線は寄生容量も持っている。この寄生容量と上記配線抵抗により、走査信号線用配線では、ローパスフィルタの作用が生まれる。上記のように配線抵抗が走査信号線用配線によって異なると、ローパスフィルタの作用の大きさに差が生じる。
【０００７】
走査信号線用配線によってローパスフィルタの作用の大きさに差が生じると、実効電圧の引き込みに差が出る。すると、表示素子の透過率に目で判別できるほどの差が生じ、区切り線として視認されるようになってしまう。
【０００８】
したがって、走査信号線用配線の持つ抵抗の、走査信号線用配線ごとの差（ΔＲ）がある範囲内に収まるようにする必要がある。
【０００９】
そのために、プリント基板においてＴＡＢから出ている走査信号線用配線の幅を変えたり、特許文献１に記載のようにＴＡＢ実装端子群の構造を変えたりする技術がある。
【特許文献１】特開２００２−１４８６５０号公報（公開日平成１４年５月２２日）
【発明の開示】
【発明が解決しようとする課題】
【００１０】
しかし、ＴＡＢから出ている走査信号線用配線の幅を変えたり、特許文献１に記載のようにＴＡＢ実装端子群の構造を変えたりすると、それらの素子の汎用性が低下する。すなわち、プリント基板やＴＡＢ実装端子群を、サイズ等の異なる複数の機種間で共用することが困難になる。そのため製造コストが上昇する。尚、上記走査信号線用配線の説明をＴＡＢの配線長にて説明したが、説明から分かるように走査信号線用配線長のバラツキの話であればＴＡＢの構成以外の場合においても本質的には同じである。
【００１１】
本発明は、上記問題点に鑑みなされたものであり、その目的は、走査信号線用配線の幅を変えたり、特許文献１に記載のようにＴＡＢ実装端子群の構造を変えたりすることなく製造コストの上昇を抑え、走査信号線用配線ごとの抵抗の差を抑えて区切り線による表示品位の低下を抑えることのできる抵抗調節回路およびそれを用いた表示装置を提供することにある。
【課題を解決するための手段】
【００１２】
上記の課題を解決するため、本発明に係る抵抗調節回路は、表示装置における表示領域の走査信号線に走査信号を供給する複数の走査信号線用配線の抵抗を調節する抵抗調節処理を行う抵抗調節回路において、ゲートクロックにより規定されたタイミングで走査信号を各走査信号線ＧＬ（ｘ）（ｘは走査信号線用配線ごとに振られた１以上の整数）に供給するゲートドライバとゲートドライバに走査信号電圧を供給する電圧源との間に設けられた調節用抵抗Ｒr（ｘ）を有し、ゲートドライバにおける電圧源の入力部から、表示領域の走査信号線における走査信号の入力部までで、走査信号が供給されるときの各経路における走査信号線用配線の配線抵抗をそれぞれＲpON（ｘ）とするとき、隣り合った少なくとも２つの走査信号線用配線について、上記タイミングに同期して上記調節用抵抗Ｒr（ｘ）の値を変化させるとき、「調節用抵抗Ｒr（ｘ）と抵抗ＲpON（ｘ）との和の、隣り合った走査信号線用配線同士での差が、調節用抵抗を設けない場合と比べて小さくなる」という条件を満たすように変化させる抵抗選択回路を備えたことを特徴としている。
【００１３】
また、本発明に係る抵抗調節回路は、上記の構成に加えて、走査信号線ごとに調節用抵抗の値が設定された、上記抵抗選択回路としてのポテンショメータと、ゲートクロックをカウントし、各走査信号線の選択タイミングおよび選択する走査信号線を上記ポテンショメータに伝えるカウンタとを備えたことを特徴としている。
【００１４】
また、本発明に係る抵抗調節回路は、上記の構成に加えて、上記ポテンショメータにおける調節用抵抗の値がユーザにより任意に設定可能であることを特徴としている。
【００１５】
また、本発明に係る抵抗調節回路は、上記の構成に加えて、上記表示領域における隣接したゲートドライバにそれぞれ配される走査信号線であって隣接し合うゲートドライバ用の各走査信号線用配線について、上記抵抗調節処理を行うことを特徴としている。
【００１６】
また、本発明に係る抵抗調節回路は、上記の構成に加えて、上記表示領域における同一のゲートドライバに配される走査信号線であって隣接し合う走査信号線用の各走査信号線用配線について、上記抵抗調節処理を行うことを特徴としている。
【００１７】
また、本発明に係るマトリクス型表示装置は、ゲートドライバから走査信号線に印加される走査信号に応じて表示素子を駆動してデータを表示するマトリクス表示装置において、上記いずれかの抵抗調節回路を備えたことを特徴としている。
【発明の効果】
【００１８】
以上のように、本発明に係る信号調節回路は、ゲートクロックのタイミングに同期して、抵抗選択回路が、上記調節用抵抗Ｒr（ｘ）の値を、「調節用抵抗Ｒr（ｘ）と抵抗ＲpON（ｘ）との和の、隣り合った走査信号線用配線同士での差が、調節用抵抗を設けない場合と比べて小さくなる」という条件を満たすように変化させる。
【００１９】
ゲートドライバは、ゲートクロックにより規定されたタイミングで、走査信号を各走査信号線ＧＬ（ｘ）（ｘ＝１、２、・・・、ｎ）に供給する。走査信号線に走査信号が供給されることを、走査信号線がオンになっているとも称し、走査信号線に走査信号が供給されていないことを、走査信号線がオフになっているとも称する。
【００２０】
ゲートドライバにおける電圧源の入力部から、表示パネルにおける走査信号の入力部までで、オンのときの経路における全抵抗をＲpON（ｘ）とする。ゲートドライバにおける電圧源の入力部から、表示パネルにおける走査信号の入力部までで、オフのときの経路における全抵抗をＲpOFF（ｘ）とする。
【００２１】
抵抗調節回路では、上記タイミングに同期して、複数の走査信号線のうちで走査信号が供給される走査信号線（オンになっている走査信号線）が替わるごとに、電圧源とゲートドライバとの間の調節用抵抗Ｒr（ｘ）の値を、あらかじめ決められた値へと変化させる。この変化により、調節用抵抗Ｒr（ｘ）と抵抗ＲpON（ｘ）との和Ｒt（ｘ）（＝Ｒr（ｘ）＋ＲpON（ｘ））が、ある値になる。隣り合った少なくとも２つの走査信号線用配線について、このある値の、隣り合った走査信号線用配線同士の差ΔＲ（ｘ、ｘ＋１）が、調節用抵抗を介さない場合と比べて、小さくなる。そうなるように、調節用抵抗をあらかじめ設定しておく。
【００２２】
どの程度小さくするかは、どの程度区切り線を目立たなくするかを考慮して抵抗調節回路の製造者が適宜決めればよい。
【００２３】
なお、どの隣り合った走査信号線用配線同士間においてもΔＲが０であるのが理想的である。したがって、どの隣り合った走査信号線用配線同士間においてもΔＲが０であるような値に調節用抵抗を設定するのが理想的である。
【００２４】
したがって、走査信号線用配線ごとの抵抗の差を抑えることができるので、区切り線による表示品位の低下を抑えることができるという効果を奏する。
【００２５】
また、電圧源とゲートドライバとの間に別の回路を組み入れるだけの簡単な構造であり、既存のプリント基板、さらには電圧源やゲートドライバを作り直す必要がなく、既存の構成に広く適用させることができる。
【００２６】
それゆえ、走査信号線用配線の幅を変えたり、特許文献１に記載のようにＴＡＢ実装端子群の構造を変えたりすることなく製造コストの上昇を抑え、走査信号線用配線ごとの抵抗の差を抑えて区切り線による表示品位の低下を抑えることができるという効果を奏する。
【発明を実施するための最良の形態】
【００２７】
本発明の実施の一形態について図１ないし図４に基づいて説明すれば、以下の通りである。
【００２８】
図２に示すように、液晶表示装置１１（表示装置）は、ゲートドライバから走査信号線に印加される走査信号に応じて表示素子を駆動してデータを表示するマトリクス表示装置である。より詳しくは、液晶表示素子（表示素子）が配置された表示パネル８を備え、ゲートドライバ６から走査信号線用配線１５を経て走査信号線４に走査信号が印加され、ソースドライバ９からデータ信号線１０にデータ信号が印加されて画像等のデータを表示するアクティブマトリクス型の液晶表示装置である。表示パネル８は、実際に画像等のデータを表示する表示領域１３を有している。そして、電圧源５、抵抗調節回路１、ゲートドライバ６、表示パネル８がこの順に接続されている。電圧源５は、ゲートドライバ６に走査信号用の電圧を供給するものである。抵抗調節回路１は、調節用抵抗を用いて、走査信号線用配線の抵抗の走査信号線用配線ごとの差を小さくするための素子である。
【００２９】
走査信号線用配線１５は、液晶表示装置１１における表示パネル８の走査信号線４に走査信号を供給するものであり、ゲートドライバ６における電圧源５の入力部（図２中、点Ａ）から、表示パネル８の走査信号線４における走査信号の入力部（図２中、点Ｂ）までの範囲である。
【００３０】
走査信号線用配線１５は、端では大きく曲がり、中央ではまっすぐであるため距離に差が出来る。すなわち端では長く、中央では短い。したがって配線抵抗は端で大きく、中央では小さい。なお、図６同様、走査信号線用配線１５の配線長が、端から別の端に向かって走査信号線毎に徐々に長くなるように構成することもできる。
【００３１】
抵抗調節回路１の構成例としては、例えば、ポテンショメータ２１（抵抗選択回路）を用いた構成とすることができる。このように、走査信号線ごとに調節用抵抗の値が設定された、抵抗選択回路としてのポテンショメータと、ゲートクロックをカウントし、各走査信号線の選択タイミングおよび選択する走査信号線をポテンショメータに伝えるカウンタとを備えたので、簡素な構成で回路を実現することができる。
【００３２】
ポテンショメータ２１には、あらかじめ、外部から、ゲートスタートパルスＧＳＰとゲートドライバ用のクロック（ゲートクロック）とで決まるタイミングごとに、すなわち走査信号線ごとに、調節用抵抗の値が設計者によって設定されており、この値は随時変更可能となっている。このように、ポテンショメータにおける調節用抵抗の値がユーザにより任意に設定可能であるので、信号調節回路の製造後にユーザ（使用者）が調節用抵抗の設定値を変えるだけで各タイミングの調節用抵抗の値を変更でき、容易に仕様を変更することができる。
【００３３】
なお、ポテンショメータを用いれば汎用性を持たせることができるが、その目的がなければ、一度調整しておき、以後は固定抵抗で行うようにしてもよい。すなわち、ポテンショメータ２１の代わりに、調節用抵抗を切り替えるために、複数の抵抗器（Ｒ1、Ｒ2、Ｒ3、・・・）を直列に電圧源５に接続し、各接続点から端子を出して各スイッチ素子につなぎ、装置内に記憶された調節用抵抗の設定値に応じて、あるいは外部からの信号のビット値に応じて各スイッチ素子をオンオフすることで抵抗値を切り替えるような構成としてもよい。
【００３４】
抵抗調節回路１は、さらに、ゲートクロックをカウントすることで、各走査信号線の選択タイミングをポテンショメータ２１に伝えるカウンタ２２を備える。ポテンショメータ２１の入力側には、電圧源５からゲートオン電圧ＧＯＥが入力され、出力側には、ゲートドライバ６の入力側の単一の配線が接続されている。ゲートドライバ６の出力側からは各走査信号線ＧＬ１、ＧＬ２、・・・、ＧＬｎが出ている。
【００３５】
動作としては、ゲートスタートパルスＧＳＰをトリガにして、ゲートドライバ６の走査を行なうためのフリップフロップＦＦとカウンタとをゲートクロックＧＣＬＫ（クロック）のタイミングにて動作させる。そして、カウンタ２２のカウンタ値に応じ、後段の表示領域１３におけるＴＦＴ以降の走査信号線の抵抗値が各走査信号線で揃うようにポテンショメータ２１を制御する。
【００３６】
ポテンショメータ２１は、１本目の走査信号線がオンになるときには、１本目の走査信号線用の調節用抵抗を生成する。２本目の走査信号線がオンになるときには、２本目の走査信号線用の調節用抵抗を生成する。以下同様である。
【００３７】
ここで、上述した通り、走査信号線用配線１５は、端では大きく曲がり、中央ではまっすぐであるため距離に差が出来る。すなわち端では長く、中央では短い。したがって配線抵抗は端で大きく、中央では小さい。調節用抵抗は、このような差をできるだけ埋めることができるような大きさに設定しておく。
【００３８】
各調節用抵抗は以下のように決めればよい。すなわち、走査信号線用配線１５の抵抗、言い換えれば、ゲートドライバ出力端（図２中、Ａで示す）から、表示パネル８上の走査信号線４のスタート位置（走査信号線４が平行配列となる場所）（図２中、Ｂで示す）までの抵抗をポテンショメータ等を用いて走査信号線毎に測定し、ゲートオン電圧側から見て各走査信号線の抵抗が同じになるような補正データ（抵抗値）とする。なお、ゲートドライバ出力端から、表示パネル８上の走査信号線４のスタート位置までの抵抗を測定する代わりに、ゲートドライバ出力端から、走査信号線４の表示領域終端部（図２中、Ｃで示す）までの抵抗を測定してもよい。
【００３９】
より具体的には以下の通りである。ゲートドライバ６は、クロックにより規定されたタイミングで、走査信号を各走査信号線ＧＬ（ｘ）に供給する。ここで、ｘは走査信号線の番号（１以上の整数）を示し、ｘ＝１、２、・・・、ｎ（ｎは１以上の整数）である。
【００４０】
走査信号線に走査信号が供給されることを、走査信号線がオンになっているとも称し、走査信号線に走査信号が供給されていないことを、走査信号線がオフになっているとも称する。
【００４１】
ゲートドライバにおける電圧源の入力部から、表示パネルにおける走査信号の入力部までで、オンのときの経路における全抵抗をＲpON（ｘ）とする。ゲートドライバにおける電圧源の入力部から、表示パネルにおける走査信号の入力部までで、オフのときの経路における全抵抗をＲpOFF（ｘ）とする。
【００４２】
オンになっているときには、上述したゲートドライバ６のスイッチ素子としてのトランジスタ由来の抵抗（Ｒsとする）も加味して考えることができる。これとは関係なく、各走査信号線用配線の抵抗をＲw（ｘ）とすると、
ＲpON（ｘ）＝Ｒw（ｘ）＋Ｒs
ＲpOFF（ｘ）＝Ｒw（ｘ）
である。
【００４３】
抵抗調節回路１では、上記クロックにより規定されたタイミングに同期して、複数の走査信号線のうちで走査信号が供給される走査信号線（オンになっている走査信号線）ごとに、電圧源とゲートドライバとの間の調節用抵抗Ｒr（ｘ）の値を、あらかじめ決められた値へと変化させる。この変化により、調節用抵抗Ｒr（ｘ）と抵抗ＲpON（ｘ）との和Ｒt（ｘ）が、ある値になる。このある値の、隣り合った走査信号線用配線同士の差ΔＲ（ｘ、ｘ＋１）が、調節用抵抗を介さない場合と比べて、小さくなる。そうなるように、調節用抵抗をあらかじめ設定しておく。式で表すと、
Ｒt（ｘ）＝Ｒr（ｘ）＋ＲpON（ｘ）
ΔＲ（ｘ、ｘ＋１）＝Ｒt（ｘ＋１）−Ｒt（ｘ）
である。
【００４４】
どの程度小さくするかは、どの程度区切り線を目立たなくするかを考慮して抵抗調節回路の製造者が適宜決めればよい。
【００４５】
なお、どの隣り合った走査信号線用配線同士間においてもΔＲが０であるのが理想的である。したがって、どの隣り合った走査信号線用配線同士間においてもΔＲが０であるような値に調節用抵抗を設定するのが理想的である。
【００４６】
このような構成により、走査信号線用配線ごとの抵抗の差を抑えることができるので、区切り線による表示品位の低下を抑えることができる。
【００４７】
また、電圧源とゲートドライバとの間に別の回路を組み入れるだけの簡単な構造であり、既存のプリント基板、さらには電圧源やゲートドライバを作り直す必要がなく、既存の構成に広く適用させることができる。
【００４８】
それゆえ、走査信号線用配線の幅を変えたり、特許文献１に記載のようにＴＡＢ実装端子群の構造を変えたりすることなく製造コストの上昇を抑え、走査信号線用配線ごとの抵抗の差を抑えて区切り線による表示品位の低下を抑えることができる。
【００４９】
図３に示すように、電圧源５、信号調節回路１、ゲートドライバ６がそれぞれ複数個設けられた構成とすることもできる。ゲートドライバ６から表示領域１３までの走査信号線用配線１５の配線パターンは、複数のゲートドライバ６において同じであるようにすることも、異なるようにすることもできる。なお、この例では、図２の構成同様、走査信号線用配線１５は、端では長く、中央では短いが、図６同様、走査信号線用配線１５の配線長が、端から別の端に向かって走査信号線毎に徐々に長くなるように構成することもできる。
【００５０】
また、図４に示すように、電圧源５および信号調節回路１がいずれも１個だけであり、それが複数のゲートドライバ６と接続されているような構成とすることもできる。これは、ゲートドライバ６から表示領域１３までの走査信号線用配線１５の配線パターンが、複数のゲートドライバ６において同じである構成である。このような構成であれば、信号調節回路１は、ゲートドライバ１個に対して対応できていればよく、他のゲートドライバに対しても同じ調節用抵抗の繰り返しでよい。そのため、このような接続で対応可能である。なお、この例では、図６同様、走査信号線用配線１５の配線長が、端から別の端に向かって走査信号線毎に徐々に長くなっているが、図２の構成同様、走査信号線用配線１５は、端では長く、中央では短いように構成することもできる。
【００５１】
図３や図４の構成において、隣り合うゲートドライバ６にそれぞれ属し、隣り合った走査信号線用配線１５同士で、ΔＲが０に近づくように各調節用抵抗を構成してもよい。その走査信号線用配線１５に接続されている走査信号線に対応する画素間で区切り線を目立たなくすることができる。このように、表示領域における隣接したゲートドライバにそれぞれ配される走査信号線であって隣接し合うゲートドライバ用の各走査信号線用配線について、抵抗調節処理を行うので、ゲートドライバ間について、走査信号線用配線ごとの抵抗の差を抑え、区切り線による表示品位の低下を抑えることができる。
【００５２】
また、図３や図４の構成において、１つのゲートドライバ６内で隣り合った走査信号線用配線１５同士でΔＲが０に近づくように各調節用抵抗を構成してもよい。その走査信号線用配線１５に接続されている走査信号線に対応する画素間で区切り線を目立たなくすることができる。このように、表示領域における同一のゲートドライバに配される走査信号線であって隣接し合う走査信号線用の各走査信号線用配線について、抵抗調節処理を行うので、ゲートドライバ内について、走査信号線用配線ごとの抵抗の差を抑え、区切り線による表示品位の低下を抑えることができる。
【産業上の利用可能性】
【００５３】
液晶表示装置等に用いられる走査信号線用配線の特性を適宜調節するような用途にも適用できる。
【図面の簡単な説明】
【００５４】
【図１】本発明に係る抵抗調節回路の一構成例を示すブロック図である。
【図２】本発明に係る液晶表示装置の一構成例を示すブロック図である。
【図３】本発明に係る液晶表示装置の他の構成例を示すブロック図である。
【図４】本発明に係る液晶表示装置の他の構成例を示すブロック図である。
【図５】従来の液晶表示装置の構成例を示すブロック図である。
【図６】従来の液晶表示装置の構成例を示すブロック図である。
【符号の説明】
【００５５】
１    抵抗調節回路
４    走査信号線
５    電圧源
６    ゲートドライバ
８    表示パネル
９    ソースドライバ
１０    データ信号線
１１    液晶表示装置（表示装置）
１３    表示領域
１５    走査信号線用配線
２１    ポテンショメータ（抵抗選択回路）
２２    カウンタ
ＦＦ    フリップフロップ
ＧＬ１、ＧＬ２、ＧＬｎ    走査信号線
ＧＣＬＫ    ゲートクロック（クロック）
ＧＯＥ    ゲートオン電圧
ＧＳＰ    ゲートスタートパルス
【図１】
2005165034.tif 000003
【図２】
2005165034.tif 000004
【図３】
2005165034.tif 000005
【図４】
2005165034.tif 000006
【図５】
2005165034.tif 000007
【図６】
2005165034.tif 000008